(57)【要約】      （修正有）【課題】取り付けフランジを備えた電気部品ユニットが損傷しないような収容姿勢でもって収容保持できるようにすること、及び外箱の破損等が生じない収容状態とするものである。【解決手段】外箱内を複数の収容室に区画する主仕切り体は、底壁の左右側に二重壁の左右立壁と、底壁の前後側に前後立壁が段ボールの折り曲げにて一体形成され、収容室は、左右両端部が左右立壁に所定間隔で支持される別体区画壁１３Ｆ２と、底壁から折り曲げにて立ち上がる一体区画壁１３Ｆ１の組み合わせによって区画形成され、左右立壁の二重壁の内側壁に、一体区画壁の左右両端部が挿入される一体区画壁支持スリット１６と、収容室に収容される電気部品ユニットの取り付けフランジが上方から挿入される並行配置の電気部品ユニット支持スリットと、別体区画壁の左右両端部が上方から挿入される別体区画壁支持スリット１１６が形成されたこと。【選択図】図１４
2012153408.tif 000002
【特許請求の範囲】
【請求項１】
電気回路部品が取り付けられたプリント配線基板が所定の外装ケースに収容された電気
部品ユニットと、複数の区画された収容室が形成された段ボール製の包装箱を備え、前記
電気部品ユニットは外部側方に突出した取り付けフランジを備え、前記包装箱は、上面開
口を塞ぐ開閉蓋付きの立体形状の外箱と、前記外箱内を複数の収容室に区画するよう前記
外箱内に収容される主仕切り体を備え、
前記主仕切り体は、平坦状の底壁と、前記底壁の左右側に前記外箱の左右内側面に沿う
二重壁の左右立壁と、前記底壁の前後側に前記外箱の前後内側面に沿う前後立壁とが段ボ
ールの折り曲げにて一体形成され、前記底壁に、前記前後立壁間を前後方向に複数の収容
室に区画するよう前記底壁から折り曲げにて立ち上がる一体区画壁を備え、前記左右立壁
の二重壁の内側壁には、前記一体区画壁の左右両端部が挿入される一体区画壁支持スリッ
トと、前記収容室ごとに前記電気部品ユニットが背中合わせの収容状態となるように前記
電気部品ユニットのそれぞれの前記取り付けフランジが上方から挿入される並行配置の電
気部品ユニット支持スリットが形成されたことを特徴とする電気部品ユニットの包装装置
。
【請求項２】
電気回路部品が取り付けられたプリント配線基板が所定の外装ケースに収容された電気
部品ユニットと、複数の区画された収容室が形成された段ボール製の包装箱を備え、前記
電気部品ユニットは外部側方に突出した取り付けフランジを備え、前記包装箱は、上面開
口を塞ぐ開閉蓋付きの立体形状の外箱と、前記外箱内を複数の収容室に区画するよう前記
外箱内に収容される主仕切り体を備え、
前記主仕切り体は、平坦状の底壁と、前記底壁の左右側に前記外箱の左右内側面に沿う
二重壁の左右立壁と、前記底壁の前後側に前記外箱の前後内側面に沿う前後立壁とが段ボ
ールの折り曲げにて一体形成され、前記前後立壁間を前後方向に複数の収容室に区画する
別体区画壁を備え、
前記左右立壁の二重壁の内側壁には、前記収容室ごとに前記電気部品ユニットが背中合
わせの収容状態となるように前記電気部品ユニットのそれぞれの前記取り付けフランジが
上方から挿入される並行配置の電気部品ユニット支持スリットと、前記別体区画壁の左右
両端部が上方から挿入支持される別体区画壁支持スリットとが形成されたことを特徴とす
る電気部品ユニットの包装装置。
【請求項３】
電気回路部品が取り付けられたプリント配線基板が所定の外装ケースに収容された電気
部品ユニットと、複数の区画された収容室が形成された段ボール製の包装箱を備え、前記
電気部品ユニットは外部側方に突出した取り付けフランジを備え、前記包装箱は、上面開
口を塞ぐ開閉蓋付きの立体形状の外箱と、前記外箱内を複数の収容室に区画するよう前記
外箱内に収容される主仕切り体を備え、
前記主仕切り体は、平坦状の底壁と、前記底壁の左右側に前記外箱の左右内側面に沿う
二重壁の左右立壁と、前記底壁の前後側に前記外箱の前後内側面に沿う前後立壁とが段ボ
ールの折り曲げにて一体形成され、
前記収容室は、左右両端部が前記左右立壁に所定間隔で支持される別体区画壁と、前記
底壁から折り曲げにて立ち上がる一体区画壁の組み合わせによって区画形成され、
前記左右立壁の二重壁の内側壁には、前記一体区画壁の左右両端部が挿入される一体区
画壁支持スリットと、前記収容室ごとに前記電気部品ユニットが背中合わせの収容状態と
なるように前記電気部品ユニットのそれぞれの前記取り付けフランジが上方から挿入され
る並行配置の電気部品ユニット支持スリットと、前記別体区画壁の左右両端部が上方から
挿入される別体区画壁支持スリットとが形成されたことを特徴とする電気部品ユニットの
包装装置。
【請求項４】
前記電気部品ユニットは、表側に電気部品が取り付けられ裏側に突出した端子部を備え
たプリント基板が前記取り付けフランジを備えた外装ケースに保持されて可撓性の透明な
帯電防止用の保護袋に収容された形態であり、前記電気部品ユニット支持スリットは前記
保護袋の左右端部が前記取り付けフランジと共に上方から挿入されるように前記左右立壁
の二重壁の上面に開口したことを特徴とする請求項１乃至３のいずれかに記載の電気部品
ユニットの包装装置。
【発明の詳細な説明】
【技術分野】
【０００１】
本発明は、電気回路部品が取り付けられたプリント配線基板を所定のケースに収容した
電気部品ユニットの包装装置に関する。
【背景技術】
【０００２】
遊技制御に必要な電気部品の実装された回路基板が、内部を透視可能な制御筐体に格納
された構成の遊技制御装置１２１と、制御取り付け構造体１２２とからなる遊技制御ユニ
ット１１４が、構造基盤１３５と一体に、遊技制御梱包装置に複数に区画形成された収容
室１２へ入れられた状態の梱包装置が開示されている（特許文献１参照）。
【０００３】
この特許文献１では、遊技制御梱包装置は外箱１と仕切構造体１１とからなり、遊技制
御ユニット１１４と構造基盤１３５とが収容室１２に収容され、仕切構造体１１の一対の
支持片４７、５０の折り曲げによって、遊技制御装置１２１を押すことにより、遊技制御
ユニット１１４が収容室１２に移動しないように固定されるようになっている。
【先行技術文献】
【特許文献】
【０００４】
【特許文献１】特開２００７−００１５９２号公報
【発明の概要】
【発明が解決しようとする課題】
【０００５】
特許文献１のものは、上記のように、遊技制御梱包装置の区画された収容室１２に収容
されるものは、遊技制御ユニット１１４と構造基盤１３５のセットであり、これらを収容
室１２に収容した状態で、遊技制御梱包装置の仕切構造体１１の一対の支持片４７、５０
を折り曲げにより、遊技制御ユニット１１４が収容室１２に移動しないように固定される
ため、遊技制御ユニット１１４を収容室１２に収容するだけでは、安定収容状態とはなら
ず、仕切構造体１１の一対の支持片４７、５０の折り曲げ作業を行なわなければならない
、面倒な作業を伴う。
【０００６】
本発明は、このような点に鑑み、電気回路部品が取り付けられたプリント配線基板を所
定のケースに収容した電気部品ユニットが、外部側方に突出した取り付けフランジを備え
ている場合の包装装置において、特許文献１のような煩雑な構成及び作業を伴うことなく
、対象とする電気部品ユニットを段ボールで構成した包装箱の区画された収容室へ安定に
収容できる包装装置を提供するものである。
【０００７】
本発明に係る電気部品ユニットの一つとして、ＬＥＤ照明灯の電源回路ユニットがある
。この電源回路ユニットは、多数の発光ダイオードが直線状等に配列された照明用基板が
透光性筒に収容されて構成されたＬＥＤ照明灯の電源回路装置として機能するものであり
、複数の電気部品がプリント配線基板に取り付けられ、このプリント配線基板が所定の外
装ケースに収容されて電源回路ユニットを構成している。本発明は、この電源回路ユニッ
トの包装に適する包装装置を提供するものである。
【課題を解決するための手段】
【０００８】
第１発明は、電気回路部品が取り付けられたプリント配線基板が所定の外装ケースに収
容された電気部品ユニット（その一つがＬＥＤ照明灯の電源回路ユニットである）と、複
数の区画された収容室が形成された段ボール製の包装箱を備え、前記電気部品ユニットは
外部側方に突出した取り付けフランジを備え、前記包装箱は、上面開口を塞ぐ開閉蓋付き
の立体形状の外箱と、前記外箱内を複数の収容室に区画するよう前記外箱内に収容される
主仕切り体を備え、
前記主仕切り体は、平坦状の底壁と、前記底壁の左右側に前記外箱の左右内側面に沿う
二重壁の左右立壁と、前記底壁の前後側に前記外箱の前後内側面に沿う前後立壁とが段ボ
ールの折り曲げにて一体形成され、前記底壁に、前記前後立壁間を前後方向に複数の収容
室に区画するよう前記底壁から折り曲げにて立ち上がる一体区画壁を備え、前記左右立壁
の二重壁の内側壁には、前記一体区画壁の左右両端部が挿入される一体区画壁支持スリッ
トと、前記収容室ごとに前記電気部品ユニットが背中合わせの収容状態となるように前記
電気部品ユニットのそれぞれの前記取り付けフランジが上方から挿入される並行配置の電
気部品ユニット支持スリットが形成されたことを特徴とする電気部品ユニットの包装装置
。
【０００９】
第２発明は、電気回路部品が取り付けられたプリント配線基板が所定の外装ケースに収
容された電気部品ユニット（その一つがＬＥＤ照明灯の電源回路ユニットである）と、複
数の区画された収容室が形成された段ボール製の包装箱を備え、前記電気部品ユニットは
外部側方に突出した取り付けフランジを備え、前記包装箱は、上面開口を塞ぐ開閉蓋付き
の立体形状の外箱と、前記外箱内を複数の収容室に区画するよう前記外箱内に収容される
主仕切り体を備え、
前記主仕切り体は、平坦状の底壁と、前記底壁の左右側に前記外箱の左右内側面に沿う
二重壁の左右立壁と、前記底壁の前後側に前記外箱の前後内側面に沿う前後立壁とが段ボ
ールの折り曲げにて一体形成され、前記前後立壁間を前後方向に複数の収容室に区画する
別体区画壁を備え、
前記左右立壁の二重壁の内側壁には、前記収容室ごとに前記電気部品ユニットが背中合
わせの収容状態となるように前記電気部品ユニットのそれぞれの前記取り付けフランジが
上方から挿入される並行配置の電気部品ユニット支持スリットと、前記別体区画壁の左右
両端部が上方から挿入支持される別体区画壁支持スリットとが形成されたことを特徴とす
る電気部品ユニットの包装装置。
【００１０】
第３発明は、電気回路部品が取り付けられたプリント配線基板が所定の外装ケースに収
容された電気部品ユニット（その一つがＬＥＤ照明灯の電源回路ユニットである）と、複
数の区画された収容室が形成された段ボール製の包装箱を備え、前記電気部品ユニットは
外部側方に突出した取り付けフランジを備え、前記包装箱は、上面開口を塞ぐ開閉蓋付き
の立体形状の外箱と、前記外箱内を複数の収容室に区画するよう前記外箱内に収容される
主仕切り体を備え、
前記主仕切り体は、平坦状の底壁と、前記底壁の左右側に前記外箱の左右内側面に沿う
二重壁の左右立壁と、前記底壁の前後側に前記外箱の前後内側面に沿う前後立壁とが段ボ
ールの折り曲げにて一体形成され、
前記収容室は、左右両端部が前記左右立壁に所定間隔で支持される別体区画壁と、前記
底壁から折り曲げにて立ち上がる一体区画壁の組み合わせによって区画形成され、
前記左右立壁の二重壁の内側壁には、前記一体区画壁の左右両端部が挿入される一体区
画壁支持スリットと、前記収容室ごとに前記電気部品ユニットが背中合わせの収容状態と
なるように前記電気部品ユニットのそれぞれの前記取り付けフランジが上方から挿入され
る並行配置の電気部品ユニット支持スリットと、前記別体区画壁の左右両端部が上方から
挿入される別体区画壁支持スリットとが形成されたことを特徴とする電気部品ユニットの
包装装置。
【００１１】
第４発明は、第１発明乃至第３発明のいずれかにおいて、前記電気部品ユニットは、表
側に電気部品が取り付けられ裏側に突出した端子部を備えたプリント基板が前記取り付け
フランジを備えた外装ケースに保持されて可撓性の透明な帯電防止用の保護袋に収容され
た形態であり、前記電気部品ユニット支持スリットは前記保護袋の左右端部が前記取り付
けフランジと共に上方から挿入されるように前記左右立壁の二重壁の上面に開口したこと
を特徴とする電気部品ユニットの包装装置。
【発明の効果】
【００１２】
第１発明では、電気部品ユニットの収容室を区画する区画壁が、主仕切り体の底壁から
折り曲げにて立ち上がる一体区画壁で形成され、この一体区画壁の左右両端部が左右立壁
の二重壁の内側壁に形成した一体区画壁支持スリットに支持されるため、区画壁の支持が
安定し収容室の区画形成が安定したものとなる。また、区画壁を含めて主仕切り体が一枚
の段ボールの折り曲げにて形成されるため、主仕切り体の形成が低コストで容易に形成で
き、この主仕切り体を外箱に収容するだけで、外箱内を複数の収容室に区画することがで
きる。更に、主仕切り体の左右立壁は中空の二重壁であるため、その内側壁に電気部品ユ
ニット支持スリットと一体区画壁支持スリットが形成されることにより、電気部品ユニッ
トの取り付けフランジと一体区画壁の左右両端部が左右立壁内に収まり、外箱内へ主仕切
り体を挿入する際にも、この取り付けフランジと一体区画壁の左右両端部が外箱の側面に
当接することが無いため、外箱内いっぱいに主仕切り体を収容でき、外箱内に主仕切り体
を安定保持できると共に、外箱の強度維持も達成できるものとなる。このような効果によ
って、外部側方に突出した取り付けフランジを備え電気部品ユニットを安定した状態の包
装が達成できるものとなる。
【００１３】
第２発明は、第１発明の一体区画壁に替わって、別体区画壁にて区画壁を形成するもの
であるが、この別体区画壁を取り付けた主仕切り体を外箱に収容するだけで、外箱内を複
数の収容室に区画するすることができる。また、この別体区画壁は、左右立壁の二重壁の
内側壁に形成した別体区画壁支持スリットに支持されるため、区画壁の支持が安定し収容
室の区画形成が安定したものとなる。更に、主仕切り体の左右立壁は中空の二重壁である
ため、その内側壁に電気部品ユニット支持スリットと別体区画壁支持スリットが形成され
ることにより、電気部品ユニットの取り付けフランジと別体区画壁の左右両端部が左右立
壁内に収まり、外箱内へ主仕切り体を挿入する際にも、この取り付けフランジと一体区画
壁の左右両端部が外箱の側面に当接することが無いため、外箱内いっぱいに主仕切り体を
収容でき、外箱内に主仕切り体を安定保持できると共に、外箱の強度維持も達成できるも
のとなる。このような効果によって、外部側方に突出した取り付けフランジを備え電気部
品ユニットを安定した状態の包装が達成できるものとなる。
【００１４】
第３発明は、第１発明の一体区画壁と第２発明の別体区画壁の組み合わせによって形成
したものであり、第１発明及び第２発明の効果を奏すると共に、一体区画壁の高さが左右
立壁よりも低くても、別体区画壁の高さが左右立壁と同等にすれば、中央部の仕切りに別
体区画壁を配置する場合や、また一体区画壁と別体区画壁が交互配置となるようにする等
によって、区画壁が一体区画壁のみで構成される場合に比して、主仕切り体の強度アップ
となり、収容室間の区画が安定したものとなる。このような効果によって、外部側方に突
出した取り付けフランジを備え電気部品ユニットを安定した状態の包装が達成できるもの
となる。
【００１５】
第４発明は、保護袋に収容された形態の電気部品ユニットの左右端部は、保護袋と共に
左右立壁の二重壁の上面に開口した電気部品ユニット支持スリットから挿入できるため、
保護袋に収容された形態の電気部品ユニットの主仕切り体への収容がし易く、包装作業が
容易となる。また、保護袋は、帯電防止用のポリエチレン製袋のように帯電防止作用であ
るため、主仕切り体への収容時に発生することが憂慮される静電気によって内部の電気回
路素子が悪影響を受けないようにすることができる。
【図面の簡単な説明】
【００１６】
【図１】本発明に係る梱包装置の電気部品ユニット正面側斜視図である。
【図２】本発明に係る梱包装置の電気部品ユニット裏面側斜視図である。
【図３】本発明に係る第１実施形態に係る包装装置の分解斜視図である。
【図４】本発明に係る梱包装置の第１実施形態に係る主仕切り体の基体を形成するための平板状の段ボール板の平面図である。
【図５】本発明に係る梱包装置の第１実施形態に係る主仕切り体の上面斜視図である。
【図６】本発明に係る梱包装置の第１実施形態に係る主仕切り体へ収容する電気部品ユニットの関係を示す説明斜視図である。
【図７】本発明に係る第２実施形態に係る包装装置の分解斜視図である。
【図８】本発明に係る梱包装置の第２実施形態に係る主仕切り体の基体を形成するための平板状の段ボール板の平面図である。
【図９】本発明に係る梱包装置の第２実施形態に係る主仕切り体の基体と別体区画壁の分解斜視図である。
【図１０】本発明に係る梱包装置の第２実施形態に係る主仕切り体の上面斜視図である。
【図１１】本発明に係る梱包装置の第２実施形態に係る主仕切り体へ収容する電気部品ユニットの関係を示す説明斜視図である。
【図１２】本発明に係る第３実施形態に係る包装装置の分解斜視図である。
【図１３】本発明に係る梱包装置の第３実施形態に係る主仕切り体の基体を形成するための平板状の段ボール板の平面図である。
【図１４】本発明に係る梱包装置の第３実施形態に係る主仕切り体の基体と別体区画壁の分解斜視図である。
【図１５】本発明に係る梱包装置の第３実施形態に係る主仕切り体の上面斜視図である。
【図１６】本発明に係る梱包装置の第３実施形態に係る主仕切り体へ収容する電気部品ユニットの関係を示す説明斜視図である。
【図１７】本発明に係る梱包装置の第４実施形態に係る主仕切り体の基体を形成するための平板状の段ボール板の平面図である。
【図１８】本発明に係る梱包装置の第４実施形態に係る主仕切り体の上面斜視図である。
【図１９】本発明に係る梱包装置の第５実施形態に係る主仕切り体の基体を形成するための平板状の段ボール板の平面図である。
【図２０】本発明に係る梱包装置の第５実施形態に係る主仕切り体の上面斜視図である。
【発明を実施するための形態】
【００１７】
本発明に係る電気部品ユニットの包装装置は、電気回路部品が取り付けられたプリント
配線基板が所定の外装ケースに収容された電気部品ユニット（その一つがＬＥＤ照明灯の
電源回路ユニットである）と、複数の区画された収容室が形成された段ボール製の包装箱
を備え、前記電気部品ユニットは外部側方に突出した取り付けフランジを備え、前記包装
箱は、上面開口を塞ぐ開閉蓋付きの立体形状の外箱と、前記外箱内を複数の収容室に区画
するよう前記外箱内に収容される主仕切り体を備え、
前記主仕切り体は、平坦状の底壁と、前記底壁の左右側に前記外箱の左右内側面に沿う
二重壁の左右立壁と、前記底壁の前後側に前記外箱の前後内側面に沿う前後立壁とが段ボ
ールの折り曲げにて一体形成され、前記底壁に、前記前後立壁間を前後方向に複数の収容
室に区画するよう前記底壁から折り曲げにて立ち上がる一体区画壁を備え、前記左右立壁
の二重壁の内側壁には、前記一体区画壁の左右両端部が挿入される一体区画壁支持スリッ
トと、前記収容室ごとに前記電気部品ユニットが背中合わせの収容状態となるように前記
電気部品ユニットのそれぞれの前記取り付けフランジが上方から挿入される並行配置の電
気部品ユニット支持スリットが形成されたものであり、以下に本発明の実施例を記載する
。
【実施例１】
【００１８】
本発明に係る電気部品ユニット１は、所要の電気部品が取り付けられたプリント配線基
板が外装ケースに保持され、外装ケースは電気部品ユニット１を所定の箇所へ取り付ける
ための取り付けフランジ６を備えており、電気部品ユニット１は輸送時の保護のために可
撓性の保護袋に収容された形態であり、その一つとして、ＬＥＤ照明灯の電源回路ユニッ
トがある。この電源回路ユニットは、多数の発光ダイオードが直線状等に配列された照明
用基板が透光性筒に収容されて構成されたＬＥＤ照明灯の電源回路装置として機能するも
のであり、複数の電気部品がプリント配線基板に取り付けられ、このプリント配線基板が
所定の外装ケースに収容されて電源回路ユニット１を構成している。本発明は、この電源
回路ユニットの包装に適する包装装置を提供するものである。
【００１９】
本発明に係る実施例は、この電源回路ユニット１について記載するものであり、図１及
び図２に示すように、電源回路ユニット１は、左右方向に長い横長矩形状のプリント配線
基板２の表側に電気部品として、発光ダイオードで８字状に形成した４桁の発光表示部３
が取り付けられ、そのプリント配線基板２の裏側には、ＬＥＤ照明灯（図示せず）の電源
回路として機能する複数の電気部品及びタッチスイッチ（いずれも図示せず）並びに突出
した端子部４Ａを備えたリレー４が取り付けられており、このプリント配線基板２が取り
付けフランジ６を左右に備えた外装ケース５に保持された形態である。外装ケース５の表
側には、プリント配線基板２に取り付けられた前記タッチスイッチの押圧操作部５Ａが形
成されている。外装ケース５は図１に示すように複数の補強リブ５Ｒが形成された合成樹
脂製であり、このリブ５Ｒの裏側にプリント配線基板２が配置されている。
【００２０】
この電源回路ユニット１が、輸送時の保護のために横長の可撓性の保護袋７に収容され
た横長形態の包装電気部品ユニット１Ａとしての包装電源回路ユニット１Ａを構成する。
保護袋７は、内部の電源回路ユニット１の包装状態を目視できるようにするために、透明
な可撓性の合成樹脂製袋で形成されており、帯電防止用のポリエチレン製袋で構成してい
る。取り付けフランジ６は、電源回路ユニット１を所定の箇所へ取り付けるためのもので
ある。
【００２１】
電源回路ユニット１が保護袋７に収容された包装電源回路ユニット１Ａは、段ボール製
の包装装置１０の複数の区画された収容室１１に収納された状態に梱包される。図３には
包装装置１０の分解斜視図を示している。包装装置１０は、上面開口１０Ｐを塞ぐ前後左
右の開閉蓋１０Ａ〜１０Ｄを一体に形成した立体形状（図３に示すものは直方体形状）の
外箱１２と、外箱１２内に複数の収容室１１を形成するよう外箱１２内に収容される主仕
切り体１３を備える。主仕切り体１３は、図４等に示すように、外箱１２の前後壁１２Ａ
、１２Ｂの内側面に沿う前後立壁１３Ａ、１３Ｂと、外箱１２の左右側壁１２Ｃ、１２Ｄ
の内側面に沿う左右立壁１３Ｃ、１３Ｄと、外箱１２の平坦状の内底面１０Ｅに沿う平坦
状の底壁１３Ｅが一体になるように、段ボールの折り曲げにて形成され、この前後立壁１
３Ａ、１３Ｂ間を区画壁１３Ｆにて前後方向に複数の収容室１１に区画した構成である。
以下、この主仕切り体１３の実施形態について記載する。
【００２２】
［第１実施形態］
図３〜図６に基づき第１実施形態に係る主仕切り体１３の構成を具体的に説明する。図
３には包装装置１０の分解斜視図を示しており、第１実施形態に係る主仕切り体１３は、
左右立壁１３Ｃ、１３Ｄにおいて前後立壁１３Ａ、１３Ｂ間を前後方向に複数の収容室１
１に区画する区画壁１３Ｆの全てが、主仕切り体１３の底壁と一体形成の一体区画壁１３
Ｆ１によって構成されたものである。
【００２３】
以下、第１実施形態に係る主仕切り体１３の構成を具体的に説明する。図４に示すよう
に、所定形状の主仕切り体１３を形成するために一枚の平板状の段ボール板１３Ｐが用い
られる。この段ボール板１３Ｐの前後側には、前後立壁１３Ａ、１３Ｂの形成部分を形成
するために、左右方向に直線状の折り線Ｌ１が形成されている。また、この段ボール板１
３Ｐの左右両側の左右立壁１３Ｃ、１３Ｄの形成部分は、左右両端部から所定寸法だけ内
側に寄った位置に前後方向の折り線Ｌ２が形成され、この折り線Ｌ２の内側には、一対の
並行な折り線Ｌ３、Ｌ４が折り線Ｌ２に並行に形成され、更に並行に内側には折り線Ｌ５
が形成されている。この折り線Ｌ５、Ｌ５間が底壁１３Ｅとなる部分である。なお、折り
線Ｌ５、Ｌ５は、前後立壁１３Ａ、１３Ｂの形成部分にまで延長形成されている。
【００２４】
また、左右立壁１３Ｃ、１３Ｄの形成部分には、折り線Ｌ２から折り線Ｌ３、Ｌ４の中
間まで、所定ピッチＨ１でもって一対の並行なスリット１３Ｑが形成されている。このピ
ッチＨ１は、一対の並行なスリット１３Ｑが後述の収容室１１の前後の中央部に位置する
ように定められている。更に、底壁１３Ｅの部分には、前後に位置する一対の並行なスリ
ット１３Ｑ、１３Ｑと一対の並行なスリット１３Ｑ、１３Ｑとの間の中央部に対応する位
置において、折り線Ｌ５、Ｌ５の内側に、左右方向の直線状の折り線Ｌ６が所定ピッチＨ
２でもって形成されており、左右立壁１３Ｃ、１３Ｄに亘る左右方向の長さを有した所定
形状の一体区画壁１３Ｆ１を形づくるように、折り線Ｌ６の左右端部に亘って所定形状の
切り込みＷ１が形成されている。また、左右立壁１３Ｃ、１３Ｄの形成部分には、一対の
並行なスリット１３Ｑ、１３Ｑと一対の並行なスリット１３Ｑ、１３Ｑとの間の中央部に
、一体区画壁１３Ｆ１の左右端部が挿入される縦長の一体区画壁支持スリット１６が形成
されている。切り込みＷ１によって形成される一体区画壁１３Ｆ１の左右長さＬＰは、一
体区画壁１３Ｆ１の左右端部が一体区画壁支持スリット１６に挿入支持されるために、左
右立壁１３Ｃ、１３Ｄの内壁間の長さよりも若干長い。また、ピッチＨ２はピッチＨ１に
等しい。
【００２５】
また、前後立壁１３Ａ、１３Ｂの形成部分と左右立壁１３Ｃ、１３Ｄの形成部分の交差
する４箇所には、折り線Ｌ１とＬ５の交点から４５度の角度で切り込みＷ２が形成され、
この交差する４箇所が切り離された状態である。また、折り線Ｌ１とＬ５が交差する４箇
所には、前後立壁１３Ａ、１３Ｂの部分に向けて折り線Ｌ５が延長している。更に、前後
立壁１３Ａ、１３Ｂの形成部分の左右端部と、左右立壁１３Ｃ、１３Ｄの形成部分の前後
端部には、それぞれ嵌合し合うスリット１３Ｘ及び１３Ｙが形成されている。
【００２６】
この構成において、各折り線での折り曲げによって、外箱１２の前後壁１２Ａ、１２Ｂ
の内側面に沿う前後立壁１３Ａ、１３Ｂと、外箱１２の左右側壁１２Ｃ、１２Ｄの内側面
に沿う中空の左右立壁１３Ｃ、１３Ｄと、外箱１２の平坦状の内底面に沿う平坦状の底壁
１３Ｅが一体になるように、段ボールの折り曲げにて形成される。
【００２７】
以下、これを具体的に説明する。左右両端を折り線Ｌ２、Ｌ３、Ｌ４、Ｌ５に沿って内
側へ若干折り曲げた状態で、折り線Ｌ５で略直角に折り曲げ、この状態から更に折り線Ｌ
３、Ｌ４を略直角に折り曲げる。このとき、前後両端部も折り線Ｌ１に沿って略直角に折
り曲げる。この両方の折り曲げが相俟って、４隅の部分でスリット１３Ｘ及び１３Ｙが嵌
合し、折り線Ｌ１、Ｌ１の間隔を存して底壁１３Ｅの前後に直立した前後立壁１３Ａ、１
３Ｂが形成されると共に、折り線Ｌ５、Ｌ５の間隔を存して底壁１３Ｅの両側に直立した
左右立壁１３Ｃ、１３Ｄが形成される。この状態で、左右立壁１３Ｃ、１３Ｄ内には、幅
Ｔ１の空間ＰＰが形成され、折り線Ｌ２の外側の部分１３Ｕは、この空間ＰＰの底部に沿
ったフランジとなり、左右立壁１３Ｃ、１３Ｄの内側壁と外側壁の間隔維持と補強効果が
得られ、中空の左右立壁１３Ｃ、１３Ｄが形成される。一方、前後立壁１３Ａ、１３Ｂの
左右両端部の部分１３Ｔは、幅Ｔ１の空間ＰＰの外側壁（左右立壁１３Ｃ、１３Ｄの外側
壁の内面）に沿ったフランジとなり、前後立壁１３Ａ、１３Ｂの左右両端部と左右立壁１
３Ｃ、１３Ｄとの結合状態の維持効果が得られる。
【００２８】
次に、折り線Ｌ６に沿って一体区画壁１３Ｆ１を切り込みＷ１部から略直角に立ち上げ
つつ、左右両端部を左右立壁１３Ｃ、１３Ｄの内側壁に形成された一体区画壁支持スリッ
ト１６に挿入する。これによって、一体区画壁１３Ｆ１が底壁１３Ｅから略直角に立ち上
がった状態となり、前後立壁１３Ａ、１３Ｂと左右立壁１３Ｃ、１３Ｄとの間に、前後方
向に略等間隔の収容室１１が形成された主仕切り体１３が形成される。
【００２９】
この収容室１１の左右両側の左右立壁１３Ｃ、１３Ｄには、その上面から内側面にかけ
て一対の並行なスリット１３Ｑが存在する。この一対の並行なスリット１３Ｑは、収容室
１１ごとに電気部品ユニット１の２セットを収容保持するための電気部品ユニット支持ス
リット１３Ｑである。このようにして、図５に示すように主仕切り体１３が形成される。
【００３０】
このような主仕切り体１３には、図６に示すように収容室１１ごとに包装電源回路ユニ
ット１Ａが背中合わせの収容状態となるように、電気部品ユニット１のそれぞれの取り付
けフランジ６が、並行配置の電気部品ユニット支持スリット１３Ｑへ上方から挿入され、
２個の電気部品ユニット１が収容室１１ごとに収容保持される。この場合、電気部品ユニ
ット１は保護袋７に収容された包装電源回路ユニット１Ａの形態であるため、保護袋７の
左右端部が取り付けフランジ６と共に各電気部品ユニット支持スリット１３Ｑに上方から
挿入支持される構成である。このようにして２個の包装電源回路ユニット１Ａが収容室１
１ごとに収容保持された状態を図６に示す。
【００３１】
このようにして一つの収容室１１に収容保持された二つの包装電源回路ユニット１Ａ、
１Ａは、図６に示すように、一方のプリント配線基板２の裏側に突出した端子部４の位置
が収容室１１の右側となり、他方のプリント配線基板２の裏側に突出した端子部４の位置
が収容室１１の左側となる関係に収容保持されるように、発光表示部３が存在する表側が
向かい合わせ状態に収容保持されている。
【００３２】
また、電気部品ユニット１を保護袋７に収容しないむき出しの場合には、電気部品ユニ
ット１のそれぞれの取り付けフランジ６のみが、電気部品ユニット支持スリット１３Ｑに
上方から挿入され、電気部品ユニット１が収容室１１に収容保持されることとなる。
【００３３】
なお、各電気部品ユニット支持スリット１３Ｑは、左右立壁１３Ｃ、１３Ｄの上面に位
置する挿入開口幅（折り線Ｌ３、Ｌ４間に形成された部分の挿入開口幅）は、左右立壁１
３Ｃ、１３Ｄの内側壁のスリット幅よりも広く形成している。それによって包装電源回路
ユニット１Ａまたは保護袋７に収容しないむき出しの電気部品ユニット１の取り付けフラ
ンジ６部の挿入をし易くし、且つ、挿入した状態の保持が安定する構成である。
【００３４】
このように包装電源回路ユニット１Ａまたは保護袋７に収容しないむき出しの電気部品
ユニット１が収容室１１に収容保持された状態の主仕切り体１３は、その一つが上面開口
１２Ｐから外箱１２内に収容される。または、包装電源回路ユニット１Ａまたは保護袋７
に収容しないむき出しの電気部品ユニット１を収容室１１に収容保持する前に、空の主仕
切り体１３の一つを上面開口１２Ｐから外箱１２に収容し、この空の主仕切り体１３の収
容室１１に、包装電源回路ユニット１Ａまたは保護袋７に収容しないむき出しの電気部品
ユニット１を収容保持するようにしてもよい。
【００３５】
いずれにおいても、外箱１２内に収容された最下段の主仕切り体１３は、その平坦状の
底壁１３Ｅが外箱１２の平坦状の内底面１０Ｅに載置され、電気部品ユニット１を収容保
持された主仕切り体１３の上に、図３に示すような段ボール製の平板状の仕切り板２０を
介して、もう一つの主仕切り体１３が積層される。この場合、各主仕切り体１３は、その
前後立壁１３Ａ、１３Ｂが外箱１２の前後壁１２Ａ、１２Ｂの内側面に沿い、左右立壁１
３Ｃ、１３Ｄが外箱１２の左右側壁１２Ｃ、１２Ｄの内側面に沿う状態で、外箱１２の上
面開口１２Ｐから外箱１２内に収容される。外箱１２に積層された所定段数の主仕切り体
１３の積層高さは、略外箱１２の高さであり、図３に示すように３段重ねの場合は、その
高さと外箱１２の高さが略同じ構成である。複数段重ねの主仕切り体１３が外箱１２内に
収容された状態で、外箱１２の上面開口１０Ｐを前後左右の開閉蓋１０Ａ〜１０Ｄによっ
て塞ぎ、必要に応じて開閉蓋１０Ａ〜１０Ｄをテープ止めすることにより、所期の包装が
完成する。なお、仕切り板２０は、必ずしも介在させなくてもよいので、省略することも
できる。
【００３６】
［第２実施形態］
図７〜図１１に基づき第２実施形態に係る主仕切り体１３の構成を具体的に説明する。
図７には包装装置１０の分解斜視図を示しており、第２実施形態に係る主仕切り体１３は
、左右立壁１３Ｃ、１３Ｄにおいて前後立壁１３Ａ、１３Ｂ間を前後方向に複数の収容室
１１に区画する区画壁１３Ｆの全てが、主仕切り体１３の底壁とは別体形成の別体区画壁
１３Ｆ２によって構成されたことを特徴とするものである。なお、第２実施形態において
第１実施形態と同様部分については同じ符号で示している。
【００３７】
以下、第２実施形態に係る主仕切り体１３の構成を具体的に説明する。第２実施形態に
係る主仕切り体１３の完成状態を図１０に示す。主仕切り体１３の構成は、図９に示すよ
うに、主仕切り体１３の基体１３Ｋに別体区画壁１３Ｆ２を取り付ける構成であり、以下
、基体１３Ｋの形成順序について説明する。
【００３８】
基体１３Ｋの形成は図８に示すように、一枚の平板状の段ボール板１３Ｐ１が用いられ
る。この段ボール板１３Ｐ１が第１実施形態に係る段ボール板１３Ｐと異なるところは、
第１実施形態に係る一体区画壁１３Ｆ１の替わりに別体区画壁１３Ｆ２が存在すること、
及び第１実施形態に係る一体区画壁１３Ｆ１の左右両端部が挿入される一体区画壁支持ス
リット１６の替わりに、左右立壁１３Ｃ、１３Ｄの内側壁に別体区画壁１３Ｆ２の左右両
端部が挿入される縦長の別体区画壁支持スリット１１６が形成されたことであり、その他
は第１実施形態に係る段ボール板１３Ｐと同じ構成である。このため、段ボール板１３Ｐ
１において、第１実施形態に係る段ボール板１３Ｐと同じ構成箇所には段ボール板１３Ｐ
と同じ符号を付しており、各折り線での折り曲げも段ボール板１３Ｐと同じであるため、
それに係る詳細な記載は第１実施形態に係る記載を援用することとしてここでは省略し、
別体区画壁１３Ｆ２の左右両端部が挿入される別体区画壁支持スリット１１６について記
載する。
【００３９】
段ボール板１３Ｐ１は、図８に示すように、左右立壁１３Ｃ、１３Ｄの形成部分には、
前後に位置する一対の並行なスリット１３Ｑと一対の並行なスリット１３Ｑとの間の中央
部に対応する位置に、折り線Ｌ３から折り線Ｌ２とＬ４の中間まで延びた別体区画壁支持
スリット１１６が形成されている。
【００４０】
このように構成された段ボール板１３Ｐ１は、図８に示しており、これを第１実施形態
に記載したように各折り線Ｌ１〜Ｌ５の部分での略直角の折り曲げによって、図９に示す
ように主仕切り体１３の基体１３Ｋが形成される。
【００４１】
一方、別体区画壁１３Ｆ２は、図９に示すように、左右方向の長さが左右立壁１３Ｃ、
１３Ｄに係止されるように、左右立壁１３Ｃ、１３Ｄに亘る左右方向の長さを有しており
、別体区画壁１３Ｆ２の左右端部寄りの位置に、下端から所定長さＴ２でもって係合スリ
ット１７Ｘが形成されている。この係合スリット１７Ｘの外側に係合フラップ１８Ｆが形
成される。なお、後述のように別体区画壁１３Ｆ２を基体１３Ｋに取り付けたとき、別体
区画壁１３Ｆ２の下端が基体１３Ｋの底壁１３Ｅに当接して、基体１３Ｋに対して別体区
画壁１３Ｆ２が安定になるようにするために、この係合スリット１７Ｘの長さＴ２は、別
体区画壁支持スリット１１６が左右立壁１３Ｃ、１３Ｄの内側壁の中間部で終わる端部と
、基体１３Ｋの底壁１３Ｅまでの長さＴ２と略同じにしている。
【００４２】
このような構成において、基体１３Ｋに対し別体区画壁１３Ｆ２を取り付けることによ
り、図１０に示すように主仕切り体１３が形成される。基体１３Ｋに対する別体区画壁１
３Ｆ２の取り付け順序は、基体１３Ａの左右立壁１３Ｃ、１３Ｄの上面に開口した別体区
画壁支持スリット１１６の部分へ別体区画壁１３Ｆ２の係合フラップ１８Ｆを対応させた
状態で、係合スリット１７Ｘと別体区画壁支持スリット１１６が嵌合するように別体区画
壁１３Ｆ２を基体１３Ｋに対し押し込む。これによって係合フラップ１８Ｆが左右立壁１
３Ｃ、１３Ｄ内の空間ＰＰへ進入しつつ、別体区画壁１３Ｆ２の下端が基体１３Ｋの底壁
１３Ｅに当接した状態となり、別体区画壁１３Ｆ２の上端が左右立壁１３Ｃ、１３Ｄの上
面の高さ以下の高さ（好ましくは、別体区画壁１３Ｆ２の上端が左右立壁１３Ｃ、１３Ｄ
の上面と同等またはそれよりも若干低い高さ）となる。これによって基体１３Ｋに対して
別体区画壁１３Ｆ２が安定した組み合わせ状態となり、前後立壁１３Ａ、１３Ｂと左右立
壁１３Ｃ、１３Ｄとの間に、前後方向に略等間隔の収容室１１が形成された主仕切り体１
３が形成される。
【００４３】
なお、別体区画壁支持スリット１１６への別体区画壁１３Ｆ２の挿入をし易くし、且つ
、挿入した状態を安定保持するために、各別体区画壁支持スリット１１６は、左右立壁１
３Ｃ、１３Ｄの上面に位置する挿入開口幅（折り線Ｌ３、Ｌ４間に形成された部分の挿入
開口幅）は、左右立壁１３Ｃ、１３Ｄの内側壁のスリット幅よりも広く形成している。
【００４４】
このように形成された主仕切り体１３には、第１実施形態にて記載したことと同様に、
収容室１１ごとに包装電源回路ユニット１Ａまたは保護袋７に収容しないむき出しの電気
部品ユニット１が、背中合わせの収容状態となるように、電気部品ユニット１のそれぞれ
の取り付けフランジ６が、並行配置の電気部品ユニット支持スリット１３Ｑへ上方から挿
入され、２個の電気部品ユニット１が収容室１１ごとに収容保持される。この電気部品ユ
ニット１が保護袋７に収容した状態の包装電源回路ユニット１Ａが収容室１１ごとに収容
保持された状態を図１１に示す。
【００４５】
第１実施形態にて記載したことと同様に、包装電源回路ユニット１Ａまたは保護袋７に
収容しないむき出しの電気部品ユニット１が、図１１に示すように収容室１１ごとに収容
保持された主仕切り体１３は、複数段に積層した状態で外箱１２内に収容される。外箱１
２は図３に示したものと同様に図７に示す形態である。この場合、第１実施形態にて記載
したことと同様に、外箱１２内に収容された最下段の主仕切り体１３は、その平坦状の底
壁１３Ｅが外箱１２の平坦状の内底面１０Ｅに載置され、電気部品ユニット１を収容保持
された主仕切り体１３の上に、図７に示すような段ボール製の平板状の仕切り板２０を介
して、もう一つの主仕切り体１３が積層される。なお、仕切り板２０は、必ずしも介在さ
せなくてもよいので、省略することもできる。
【００４６】
この場合、第１実施形態にて記載したことと同様に、各主仕切り体１３は、その前後立
壁１３Ａ、１３Ｂが外箱１２の前後壁１２Ａ、１２Ｂの内側面に沿い、左右立壁１３Ｃ、
１３Ｄが外箱１２の左右側壁１２Ｃ、１２Ｄの内側面に沿う状態で、外箱１２の上面開口
１２Ｐから外箱１２内に収容される。外箱１２に積層された所定段数の主仕切り体１３の
積層高さは、略外箱１２の高さであり、図７に示すように３段重ねの場合は、その高さと
外箱１２の高さが略同じ構成である。複数段重ねの主仕切り体１３が外箱１２内に収容さ
れた状態で、外箱１２の上面開口１０Ｐを前後左右の開閉蓋１０Ａ〜１０Ｄによって塞ぎ
、必要に応じて開閉蓋１０Ａ〜１０Ｄをテープ止めすることにより、所期の包装装置１０
が完成する。
【００４７】
［第３実施形態］
図１２〜図１６に基づき第３実施形態の構成を具体的に説明する。図１２には包装装置
１０の分解斜視図を示しており、第３実施形態に係る主仕切り体１３は、左右立壁１３Ｃ
、１３Ｄにおいて前後立壁１３Ａ、１３Ｂ間を前後方向に複数の収容室１１に区画する区
画壁１３Ｆが、主仕切り体１３の底壁と一体形成の一体区画壁１３Ｆ１と、別体形成の別
体区画壁１３Ｆ２との組み合わせによって構成された形態の一つである。第３実施形態に
おいて第１実施形態及び第２実施形態と同様部分については同じ符号で示している。
【００４８】
以下、第３実施形態に係る主仕切り体１３の構成を具体的に説明する。第３実施形態に
係る主仕切り
１３の完成状態を図１５に示す。主仕切り体１３の構成は、図１４に示すように、主仕切
り体１３の基体１３Ｋ１の中央部の仕切りとして１個の別体区画壁１３Ｆ２を取り付ける
構成である。基体１３Ｋ１の形成は図１３に示すように、一枚の平板状の段ボール板１３
Ｐ２が用いられる。この段ボール板１３Ｐ２が第１実施形態に係る段ボール板１３Ｐと異
なるところは、６個の収容室１１に区画する一体区画壁１３Ｆ１のうちの中央部の区画壁
１３Ｆ１に替わって、別体区画壁１３Ｆ２が取り付けられる構成である。
【００４９】
段ボール板１３Ｐ２において、第１実施形態に係る段ボール板１３Ｐと同じ構成箇所に
は段ボール板１３Ｐと同じ符号を付しており、各折り線での折り曲げも段ボール板１３Ｐ
と同じであるため、それに係る詳細な記載は第１実施形態に係る記載を援用することとし
てここでは省略する。また、別体区画壁１３Ｆ２の左右両端部が挿入される別体区画壁支
持スリット１１６の形成については、第２実施形態に係る構成と同様であるため、第２実
施形態に係る記載を援用することとしてここでは省略する。また、別体区画壁１３Ｆ２に
ついても、第２実施形態に係る構成と同様であるため、第２実施形態に係る記載を援用す
ることとしてここでは省略する。
【００５０】
図１３に示すように、第１実施形態に係る段ボール板１３Ｐと同様に、前後立壁１３Ａ
、１３Ｂと、左右立壁１３Ｃ、１３Ｄと、一体区画壁１３Ｆ１が、それぞれ各折り線Ｌ１
〜Ｌ５の略直角の折り曲げによって、図１４に示すように、主仕切り体１３の基体１３Ｋ
１が形成される。基体１３Ｋ１は、６個の収容室１１に区画する区画壁のうちの中央部の
区画壁を除いた形態であり、中央部の区画壁の取り付け用の別体区画壁支持スリット１１
６が左右立壁１３Ｃ、１３Ｄに形成されている。
【００５１】
このような構成において、図１４に示すように、第２実施形態に係る説明と同様の順序
にて、基体１３Ｋ１に対し別体区画壁支持スリット１１６へ別体区画壁１３Ｆ２を取り付
けることにより、図１５に示すように、左右立壁１３Ｃ、１３Ｄにおいて前後立壁１３Ａ
、１３Ｂ間を前後方向に複数の収容室１１に区画する区画壁１３Ｆが、主仕切り体１３の
底壁と一体形成の一体区画壁１３Ｆ１と、別体形成の別体区画壁１３Ｆ２との組み合わせ
によって構成された主仕切り体１３が形成される。このように、別体区画壁１３Ｆ２が存
在することによって、区画壁１３Ｆが一体区画壁１３Ｆ１のみで構成される場合に比して
、主仕切り体１３の強度アップとなる。
【００５２】
このように形成された主仕切り体１３には、第１実施形態または第２実施形態にて記載
したことと同様に、収容室１１ごとに包装電源回路ユニット１Ａまたは保護袋７に収容し
ないむき出しの電気部品ユニット１が、背中合わせの収容状態となるように、電気部品ユ
ニット１のそれぞれの取り付けフランジ６が、並行配置の電気部品ユニット支持スリット
１３Ｑへ上方から挿入され、２個の電気部品ユニット１が収容室１１ごとに収容保持され
る。この電気部品ユニット１が保護袋７に収容した状態の包装電源回路ユニット１Ａが収
容室１１ごとに収容保持された状態を図１６に示す。
【００５３】
第１実施形態または第２実施形態にて記載したことと同様に、包装電源回路ユニット１
Ａまたは保護袋７に収容しないむき出しの電気部品ユニット１が、収容室１１ごとに収容
保持された主仕切り体１３は、複数段に積層した状態で外箱１２内に収容される。外箱１
２は図１２に示す形態であり、これは図３に示す形態と同様である。この場合、第１実施
形態にて記載したことと同様に、外箱１２内に収容された最下段の主仕切り体１３は、そ
の平坦状の底壁１３Ｅが外箱１２の平坦状の内底面に載置され、電気部品ユニット１を収
容保持された主仕切り体１３の上に、図１２に示すような段ボール製の平板状の仕切り板
２０を介して、もう一つの主仕切り体１３が積層される。なお、仕切り板２０は、必ずし
も介在させなくてもよいので、省略することもできる。
【００５４】
この場合、第１実施形態にて記載したことと同様に、各主仕切り体１３は、その前後立
壁１３Ａ、１３Ｂが外箱１２の前後壁１２Ａ、１２Ｂの内側面に沿い、左右立壁１３Ｃ、
１３Ｄが外箱１２の左右側壁１２Ｃ、１２Ｄの内側面に沿う状態で、外箱１２の上面開口
１２Ｐから外箱１２内に収容される。外箱１２に積層された所定段数の主仕切り体１３の
積層高さは、略外箱１２の高さであり、図１２に示すように３段重ねの場合は、その高さ
と外箱１２の高さが略同じ構成である。複数段重ねの主仕切り体１３が外箱１２内に収容
された状態で、外箱１２の上面開口１０Ｐを前後左右の開閉蓋１０Ａ〜１０Ｄによって塞
ぎ、必要に応じて開閉蓋１０Ａ〜１０Ｄをテープ止めすることにより、所期の包装装置１
０が完成する。
【００５５】
［第４実施形態］
図１７及び図１８に基づき第４実施形態の構成を具体的に説明する。第４実施形態は、
第２実施形態または第３実施形態と同様に、主仕切り体１３は、左右立壁１３Ｃ、１３Ｄ
において前後立壁１３Ａ、１３Ｂ間を前後方向に複数の収容室１１に区画する区画壁１３
Ｆが、主仕切り体１３の底壁と一体形成の一体区画壁１３Ｆ１と、別体形成の別体区画壁
１３Ｆ２との組み合わせによって構成された形態の一つであり、その中で第４実施形態の
主仕切り体１３の構成は、図１８に示すように、主仕切り体１３の基体１３Ｋ２に２個の
別体区画壁１３Ｆ２を取り付ける構成である。
【００５６】
基体１３Ｋ２の形成は図１７に示すように、一枚の平板状の段ボール板１３Ｐ３が用い
られる。この段ボール板１３Ｐ３が第１実施形態に係る段ボール板１３Ｐと異なるところ
は、６個の収容室１１に区画する一体区画壁１３Ｆ１のうちの中央部の区画壁１３Ｆ１の
前後両側の区画壁が、別体区画壁１３Ｆ２で形成された構成である。
【００５７】
段ボール板１３Ｐ３において、第１実施形態に係る段ボール板１３Ｐと同じ構成箇所に
は段ボール板１３Ｐと同じ符号を付しており、各折り線での折り曲げも段ボール板１３Ｐ
と同じであるため、それに係る詳細な記載は第１実施形態に係る記載を援用することとし
てここでは省略する。また、別体区画壁１３Ｆ２の左右両端部が挿入される別体区画壁支
持スリット１１６の形成については、第２実施形態に係る構成と同様であるため、第２実
施形態に係る記載を援用することとしてここでは省略する。また、別体区画壁１３Ｆ２に
ついても、第２実施形態に係る構成と同様であるため、第２実施形態に係る記載を援用す
ることとしてここでは省略する。
【００５８】
図１７に示す段ボール板１３Ｐ３において、第１実施形態に係る段ボール板１３Ｐと同
様に、前後立壁１３Ａ、１３Ｂと、左右立壁１３Ｃ、１３Ｄと、一体区画壁１３Ｆ１が、
それぞれ各折り線Ｌ１〜Ｌ５の略直角の折り曲げによって、図１８に示すように、主仕切
り体１３の基体１３Ｋ２が形成される。基体１３Ｋ２は、６個の収容室１１に区画する５
個の区画壁のうち、中央部の区画壁の前後両側の区画壁が、別体区画壁１３Ｆ２で形成さ
れ、その他の区画壁は、基体１３Ｋ２の底壁と一体形成の一体区画壁１３Ｆ１である。
【００５９】
段ボール板１３Ｐ３の折り曲げによって形成された基体１３Ｋ２の左右立壁１３Ｃ、１
３Ｄには、上記の二つの別体区画壁１３Ｆ２の取り付け用の別体区画壁支持スリット１１
６が、第２実施形態と同様に形成されており、図１８に示すように、第２実施形態に係る
説明と同様の順序にて、基体１３Ｋ２に対し別体区画壁支持スリット１１６へ別体区画壁
１３Ｆ２を取り付けることにより、左右立壁１３Ｃ、１３Ｄにおいて前後立壁１３Ａ、１
３Ｂ間を前後方向に６個の収容室１１に区画する区画壁１３Ｆが、主仕切り体１３の底壁
と一体形成の３個の一体区画壁１３Ｆ１と、別体形成の２個の別体区画壁１３Ｆ２との組
み合わせによって構成された主仕切り体１３が形成される。このように、別体区画壁１３
Ｆ２が存在することによって、区画壁１３Ｆが一体区画壁１３Ｆ１のみで構成される場合
に比して、主仕切り体１３の強度アップとなる。
【００６０】
このように形成された主仕切り体１３には、第１実施形態乃至第３実施形態にて記載し
たことと同様に、収容室１１ごとに包装電源回路ユニット１Ａまたは保護袋７に収容しな
いむき出しの電気部品ユニット１が、背中合わせの収容状態となるように、電気部品ユニ
ット１のそれぞれの取り付けフランジ６が、並行配置の電気部品ユニット支持スリット１
３Ｑへ上方から挿入され、２個の電気部品ユニット１が収容室１１ごとに収容保持される
。
【００６１】
第１実施形態乃至第３実施形態にて記載したことと同様に、包装電源回路ユニット１Ａ
または保護袋７に収容しないむき出しの電気部品ユニット１が、収容室１１ごとに収容保
持された主仕切り体１３は、複数段に積層した状態で外箱１２内に収容される。外箱１２
は図１２に示す形態であり、これは図３に示す形態と同様である。この場合、第１実施形
態にて記載したことと同様に、外箱１２内に収容された最下段の主仕切り体１３は、その
平坦状の底壁１３Ｅが外箱１２の平坦状の内底面に載置され、電気部品ユニット１を収容
保持された主仕切り体１３の上に、図３または図１２に示すような段ボール製の平板状の
仕切り板２０を介して、もう一つの主仕切り体１３が積層される。なお、仕切り板２０は
、必ずしも介在させなくてもよいので、省略することもできる。
【００６２】
この場合、第１実施形態乃至第３実施形態にて記載したことと同様に、各主仕切り体１
３は、その前後立壁１３Ａ、１３Ｂが外箱１２の前後壁１２Ａ、１２Ｂの内側面に沿い、
左右立壁１３Ｃ、１３Ｄが外箱１２の左右側壁１２Ｃ、１２Ｄの内側面に沿う状態で、外
箱１２の上面開口１２Ｐから外箱１２内に収容される。外箱１２に積層された所定段数の
主仕切り体１３の積層高さは、略外箱１２の高さであり、図３または図１２に示すように
３段重ねの場合は、その高さと外箱１２の高さが略同じ構成である。複数段重ねの主仕切
り体１３が外箱１２内に収容された状態で、外箱１２の上面開口１０Ｐを前後左右の開閉
蓋１０Ａ〜１０Ｄによって塞ぎ、必要に応じて開閉蓋１０Ａ〜１０Ｄをテープ止めするこ
とにより、所期の包装装置１０が完成する。
【００６３】
［第５実施形態］
図１９及び図２０に基づき第５実施形態の構成を具体的に説明する。第５実施形態は、
第１実施形態乃至第４実施形態と同様に、主仕切り体１３は、左右立壁１３Ｃ、１３Ｄに
おいて前後立壁１３Ａ、１３Ｂ間を前後方向に複数の収容室１１に区画する区画壁１３Ｆ
が、主仕切り体１３の底壁と一体形成の一体区画壁１３Ｆ１と、別体形成の別体区画壁１
３Ｆ２との組み合わせによって構成された形態の一つであり、その中で第５実施形態の主
仕切り体１３の構成は、図２０に示すように、主仕切り体１３の基体１３Ｋ２に３個の別
体区画壁１３Ｆ２を取り付ける構成である。
【００６４】
基体１３Ｋ２の形成は図１９に示すように、一枚の平板状の段ボール板１３Ｐ４が用い
られる。この段ボール板１３Ｐ４が第１実施形態に係る段ボール板１３Ｐと異なるところ
は、６個の収容室１１に区画する一体区画壁１３Ｆ１のうちの２個が一体区画壁１３Ｆ１
であり、残りの３個の区画壁が、別体区画壁１３Ｆ２で形成された構成である。図１９に
は、前後方向で交互に一体区画壁１３Ｆ１と別体区画壁１３Ｆ２が配置された形態を示し
ている。
【００６５】
段ボール板１３Ｐ４において、第１実施形態に係る段ボール板１３Ｐと同じ構成箇所に
は段ボール板１３Ｐと同じ符号を付しており、各折り線での折り曲げも段ボール板１３Ｐ
と同じであるため、それに係る詳細な記載は第１実施形態に係る記載を援用することとし
てここでは省略する。また、別体区画壁１３Ｆ２の左右両端部が挿入される別体区画壁支
持スリット１１６の形成については、第２実施形態に係る構成と同様であるため、第２実
施形態に係る記載を援用することとしてここでは省略する。また、別体区画壁１３Ｆ２に
ついても、第２実施形態に係る構成と同様であるため、第２実施形態に係る記載を援用す
ることとしてここでは省略する。
【００６６】
図１９に示す段ボール板１３Ｐ４において、第１実施形態に係る段ボール板１３Ｐと同
様に、前後立壁１３Ａ、１３Ｂと、左右立壁１３Ｃ、１３Ｄと、一体区画壁１３Ｆ１が、
それぞれ各折り線Ｌ１〜Ｌ５の略直角の折り曲げによって、図２０に示すように、主仕切
り体１３の基体１３Ｋ３が形成される。基体１３Ｋ３は、６個の収容室１１に区画する５
個の区画壁は、前後方向で交互に２個の一体区画壁１３Ｆ１と３個の別体区画壁１３Ｆ２
が配置された形態である。
【００６７】
段ボール板１３Ｐ４の折り曲げによって形成された基体１３Ｋ３の左右立壁１３Ｃ、１
３Ｄには、上記の３個の別体区画壁１３Ｆ２の取り付け用の別体区画壁支持スリット１１
６が、第２実施形態と同様に形成されており、図２０に示すように、第２実施形態に係る
説明と同様の順序にて、一体区画壁１３Ｆ１が形成された基体１３Ｋ２に対し、別体区画
壁支持スリット１１６へ別体区画壁１３Ｆ２を取り付けることにより、左右立壁１３Ｃ、
１３Ｄにおいて前後立壁１３Ａ、１３Ｂ間を前後方向に６個の収容室１１に区画する区画
壁１３Ｆが、主仕切り体１３の底壁と一体形成の２個の一体区画壁１３Ｆ１と、別体形成
の３個の別体区画壁１３Ｆ２との組み合わせによって構成された主仕切り体１３が形成さ
れる。このように、別体区画壁１３Ｆ２が存在することによって、区画壁１３Ｆが一体区
画壁１３Ｆ１のみで構成される場合に比して、主仕切り体１３の強度アップとなる。
【００６８】
このように形成された主仕切り体１３には、第１実施形態乃至第４実施形態にて記載し
たことと同様に、収容室１１ごとに包装電源回路ユニット１Ａまたは保護袋７に収容しな
いむき出しの電気部品ユニット１が、背中合わせの収容状態となるように、電気部品ユニ
ット１のそれぞれの取り付けフランジ６が、並行配置の電気部品ユニット支持スリット１
３Ｑへ上方から挿入され、２個の電気部品ユニット１が収容室１１ごとに収容保持される
。
【００６９】
第１実施形態乃至第４実施形態にて記載したことと同様に、包装電源回路ユニット１Ａ
または保護袋７に収容しないむき出しの電気部品ユニット１が、収容室１１ごとに収容保
持された主仕切り体１３は、複数段に積層した状態で外箱１２内に収容される。外箱１２
は図３または図１２に示す形態と同様である。この場合、第１実施形態にて記載したこと
と同様に、外箱１２内に収容された最下段の主仕切り体１３は、その平坦状の底壁１３Ｅ
が外箱１２の平坦状の内底面に載置され、電気部品ユニット１を収容保持された主仕切り
体１３の上に、図３または図１２に示すような段ボール製の平板状の仕切り板２０を介し
て、もう一つの主仕切り体１３が積層される。なお、仕切り板２０は、必ずしも介在させ
なくてもよいので、省略することもできる。
【００７０】
この場合、第１実施形態乃至第４実施形態にて記載したことと同様に、各主仕切り体１
３は、その前後立壁１３Ａ、１３Ｂが外箱１２の前後壁１２Ａ、１２Ｂの内側面に沿い、
左右立壁１３Ｃ、１３Ｄが外箱１２の左右側壁１２Ｃ、１２Ｄの内側面に沿う状態で、外
箱１２の上面開口１２Ｐから外箱１２内に収容される。外箱１２に積層された所定段数の
主仕切り体１３の積層高さは、略外箱１２の高さであり、図３または図１２に示すように
３段重ねの場合は、その高さと外箱１２の高さが略同じ構成である。複数段重ねの主仕切
り体１３が外箱１２内に収容された状態で、外箱１２の上面開口１０Ｐを前後左右の開閉
蓋１０Ａ〜１０Ｄによって塞ぎ、必要に応じて開閉蓋１０Ａ〜１０Ｄをテープ止めするこ
とにより、所期の包装装置１０が完成する。
【産業上の利用可能性】
【００７１】
本発明は、電気回路部品が取り付けられたプリント配線基板が保護ケースに収容された
電気部品ユニットの梱包装置として、上記実施例に示した図示の形態に限らず、本発明の
技術範囲において、種々の構成を包含するものである。
【符号の説明】
【００７２】
１・・・・・電気部品ユニット（電源回路ユニット）
１Ａ・・・・包装電源回路ユニット
２・・・・・プリント配線基板
３・・・・・発光表示部
４・・・・・端子部
５・・・・・外装ケース
６・・・・・取り付けフランジ
７・・・・・保護袋
１０・・・・包装装置
１０Ａ〜１０Ｄ・・・外箱の開閉蓋
１０Ｅ・・・外箱の内底面
１１・・・・収容室
１２・・・・外箱
１２Ａ、１２Ｂ・・・外箱の前後壁
１２Ｃ、１２Ｄ・・・外箱の左右側壁
１３・・・・主仕切り体
１３Ａ、１３Ｂ・・・前後立壁  
１３Ｃ、１３Ｄ・・・左右立壁  
１３Ｅ・・・底壁
１３Ｆ・・・区画壁
１３Ｆ１・・一体区画壁
１３Ｆ２・・別体区画壁
１３Ｋ・・・基体
１３Ｋ１・・基体
１３Ｋ２・・基体
１３Ｋ３・・基体
１３Ｐ・・・段ボール板
１３Ｐ１・・段ボール板
１３Ｐ２・・段ボール板
１３Ｐ３・・段ボール板
１３Ｐ４・・段ボール板
１３Ｑ・・・スリット
１３Ｘ、１３Ｙ・・・スリット
１６・・・・一体区画壁支持スリット
１１６・・・別体区画壁支持スリット
１７Ｘ・・・係合スリット
２０・・・・平板状の仕切り板
【図１】
2012153408.tif 000003
【図２】
2012153408.tif 000004
【図３】
2012153408.tif 000005
【図４】
2012153408.tif 000006
【図５】
2012153408.tif 000007
【図６】
2012153408.tif 000008
【図７】
2012153408.tif 000009
【図８】
2012153408.tif 000010
【図９】
2012153408.tif 000011
【図１０】
2012153408.tif 000012
【図１１】
2012153408.tif 000013
【図１２】
2012153408.tif 000014
【図１３】
2012153408.tif 000015
【図１４】
2012153408.tif 000016
【図１５】
2012153408.tif 000017
【図１６】
2012153408.tif 000018
【図１７】
2012153408.tif 000019
【図１８】
2012153408.tif 000020
【図１９】
2012153408.tif 000021
【図２０】
2012153408.tif 000022